(57)【要約】【課題】パイル地のブラシが底面に付いた吸込口体を絨毯やカーペットなどの起毛した布地上でも楽に移動させることができる電気掃除機の吸込口体を提供する。【解決手段】後部背面に設けられた排出口１１０と、排出口１１０と連通し底面の前方に設けられた吸込口１２０と、排出口１１０と連通し底面の後方に設けられた開口部１３０と、開口部１３０から床面に接するように設けられ、前後に回転し、中央に突起体１４２が設けられ、突起体１４２の前後の表面にパイル地１４５，１４６が貼られた半円筒集塵体１４０と、開口部１３０の前後に設けられ、半円筒集塵体と接することにより半円筒集塵体に付着した塵を除去する除塵体１５１，１５２と、開口部１３０の左右に設けられた車輪１６１，１６２と、車輪１６１，１６２を駆動する電動機１７０と、を有する吸込口体１００。【選択図】図２
2014158586.tif 000002
【特許請求の範囲】
【請求項１】
後部背面に設けられた排出口と、
前記排出口と連通し底面の前方に設けられた吸込口と、
前記排出口と連通し底面の後方に設けられた開口部と、
前記開口部から床面に接するように設けられ、前後に回転し、中央に突起体が設けられ、前記突起体で区切られた前後の各々の表面に塵を捕獲しやすい方向のパイル地が貼られた半円筒集塵体と、
前記開口部の前後に設けられ、前記半円筒集塵体と接することにより前記半円筒集塵体に付着した塵を除去する除塵体と、
前記開口部の左右に設けられた車輪と、
前記車輪を駆動する電動機と、
を有することを特徴とする電気掃除機の吸込口体。
【請求項２】
前記電動機は、前記半円筒集塵体の前後の動きに応じて回転方向を切り替えることを特徴とする請求項１に記載の電気掃除機の吸込口体。
【請求項３】
請求項１または２記載の吸込口体を有することを特徴とする電気掃除機。
【発明の詳細な説明】
【技術分野】
【０００１】
本発明は、電気掃除機に関し、特に電気掃除機の吸込口体の構造に関する。
【背景技術】
【０００２】
従来の電気掃除機の吸込口体は、フローリングなどの硬い床面に対しては、高い除塵効果を得られるが、絨毯やカーペットなどの起毛した布地に絡まった毛髪やペットの毛など繊維状の塵に対しては、除塵効果があまり得られないという問題がある。
【０００３】
この問題を解決するために、例えば特許文献１に示すように、電気掃除機の吸込口体の底面に半回転するパイル地のブラシを取り付けることにより、絨毯やカーペットなどの起毛した布地に絡まった毛髪やペットの毛など繊維状の塵に対する除塵効果を高める方法が記載されている。
【先行技術文献】
【特許文献】
【０００４】
【特許文献１】特開２０１２−２０５７９９号公報（図４）
【発明の概要】
【発明が解決しようとする課題】
【０００５】
しかしながら、従来の方法では、電気掃除機の吸込口体の底面にパイル地のブラシがあるため、絨毯やカーペットなどの上では摩擦が大きくなり、吸込口体を移動させるのが容易ではないという問題がある。
【０００６】
本発明は、上述した従来技術の問題点を解決するためになされたものであり、その目的は、電気掃除機の吸込口体の底面に半回転するパイル地の半円筒集塵体を取り付けることにより、絨毯やカーペットなどの起毛した布地に絡まった毛髪やペットの毛など繊維状の塵に対する除塵効果を高め、さらに吸込口体に電動機によって動く車輪を設け、吸込口体の進む方向に対して動きを援助するように車輪を動作させることにより、絨毯やカーペットなどの起毛した布地上で塵を捕獲しやすい方向のパイル地を移動させることによる摩擦力を軽減でき、パイル地による除塵効果を高めることができる。
【課題を解決するための手段】
【０００７】
本発明のある態様による電気掃除機の吸込口体は、後部背面に設けられた排出口と、前記排出口と連通し底面の前方に設けられた吸込口と、前記排出口と連通し底面の後方に設けられた開口部と、前記開口部から床面に接するように設けられ、前後に回転し、中央に突起体が設けられ、前記突起体で区切られた前後の各々の表面に塵を捕獲しやすい方向のパイル地が貼られた半円筒集塵体と、前記開口部の前後に設けられ、前記半円筒集塵体と接することにより前記半円筒集塵体に付着した塵を除去する除塵体と、前記開口部の左右に設けられた車輪と、前記車輪を駆動する電動機と、を有することを特徴とする。
【０００８】
この構成によれば、電気掃除機の吸込口体の底面に半回転するパイル地の半円筒集塵体を取り付けることにより、絨毯やカーペットなどの起毛した布地に絡まった毛髪やペットの毛など繊維状の塵に対する除塵効果を高め、さらに吸込口体に電動機によって動く車輪を設け、吸込口体の進む方向に対して動きを援助するように車輪を動作させることにより、絨毯やカーペットなどの起毛した布地上で塵を捕獲しやすい方向のパイル地を移動させることによる摩擦力を軽減でき、パイル地による除塵効果を高めることができる。
【０００９】
上記電気掃除機の吸込口体において、前記電動機は、前記半円筒集塵体の前後の動きに応じて回転方向を切り替えるようにしてもよい。
【００１０】
こうすれば、吸込口体の進む方向に対して動きを援助するように車輪を動作させることにより、絨毯やカーペットなどの起毛した布地上で塵を捕獲しやすい方向のパイル地を移動させることによる摩擦力を軽減でき、パイル地による除塵効果を高めることができる。
【００１１】
上記吸込口体を有する電気掃除機は、電気掃除機の吸込口体の底面に半回転するパイル地の半円筒集塵体を取り付けることにより、絨毯やカーペットなどの起毛した布地に絡まった毛髪やペットの毛など繊維状の塵に対する除塵効果を高め、さらに吸込口体に電動機によって動く車輪を設け、吸込口体の進む方向に対して動きを援助するように車輪を動作させることにより、絨毯やカーペットなどの起毛した布地上でパイル地を移動させることによる摩擦力を軽減でき、パイル地による除塵効果を高めることができる。
【発明の効果】
【００１２】
本発明によれば、電気掃除機の吸込口体の底面に半回転するパイル地の半円筒集塵体を取り付けることにより、絨毯やカーペットなどの起毛した布地に絡まった毛髪やペットの毛など繊維状の塵に対する除塵効果を高め、さらに吸込口体に電動機によって動く車輪を設け、吸込口体の進む方向に対して動きを援助するように車輪を動作させることにより、絨毯やカーペットなどの起毛した布地上で塵を捕獲しやすい方向のパイル地を移動させることによる摩擦力を軽減でき、パイル地による除塵効果を高めることができる。
【図面の簡単な説明】
【００１３】
【図１】本発明の第１の実施形態に係る電気掃除機の構成を示す概略図である。
【図２】本発明の第１の実施形態に係る電気掃除機の吸込口体の構成を示す底面図及び側面断面図である。
【図３】本発明の第１の実施形態に係る電気掃除機の吸込口体の動作を示す側面断面図である。
【発明を実施するための形態】
【００１４】
以下、電気掃除機の実施形態について図面に従って説明する。以下に参照する各図において、他の図と同等部分は同一符号を付して説明する。
【００１５】
（第１の実施形態）
先ず、第１の実施形態に係る電気掃除機の構成について、図１を参照して説明する。図１は、第１の実施形態に係る電気掃除機の構成を示す概略図である。
【００１６】
図１に示すように、電気掃除機１は、掃除機本体１０と、掃除機本体１０の接続口１２に一端が取り付けられたホース２０と、ホース２０の他端に一端が取り付けられた操作管３０と、操作管３０の他端に一端が取り付けられた延長管４０と、延長管４０の他端と排出口１１０とが接続された吸込口体１００と、から構成されている。電気掃除機１の使用者は、操作管３０を握り、吸込口体１００を前後左右に移動させることにより、床面の掃除を行う。
【００１７】
次に、第１の実施形態に係る電気掃除機の吸込口体の構成について、図２を参照して説明する。図２は、第１の実施形態に係る電気掃除機の吸込口体の構成を示す底面図及び側面断面図である。図２（Ａ）は、吸込口体１００を底面から見た底面図である。図２（Ｂ）は、吸込口体１００を一点鎖線Ａで縦切りにした側面断面図である。
【００１８】
図２（Ａ）及び図２（Ｂ）に示すように、吸込口体１００は、排出口１１０と、吸込口１２０と、開口部１３０と、半円筒集塵体１４０と、除塵体１５１，１５２と、車輪１６１，１６２と、電動機（モーター）１７０と、から構成されている。排出口１１０は、吸込口体１００の後部背面１０１に設けられている。吸込口１２０は、吸込口体１００の底面１０２の前方に設けられ、図２（Ｂ）に示すように、排出口１１０と連通している。開口部１３０は、吸込口体１００の底面１０２の後方に設けられ、図２（Ｂ）に示すように、排出口１１０と連通している。
【００１９】
半円筒集塵体１４０は、開口部１３０の左右の壁面に設けられた半円筒集塵体軸１４４を中心に前後に回転する断面が略半円の回転体である。半円筒集塵体１４０は、半円周の中央の幅方向にゴムなどの変形可能な素材で形成された突起体１４２が設けられている。半円筒集塵体１４０は、突起体１４２で区切られた前後の表面にパイル地１４５，１４６が貼られている。
半円筒集塵体１４０の突起体１４２で区切られた前方向の面に貼られたパイル地１４５は、吸込口体１００が前進するときに床面の起毛した布地に絡まった繊維状の塵を捕獲しやすい方向に貼られている。半円筒集塵体１４０の突起体１４２で区切られた後方向の面に貼られたパイル地１４６は、吸込口体１００が後退するときに床面の起毛した布地に絡まった繊維状の塵を捕獲しやすい方向に貼られている。
半円筒集塵体１４０は、吸込口体１００を床面（一点鎖線Ｂ）で移動すると、パイル地１４５，１４６の何れかが床面に接するように開口部１３０から突出している。半円筒集塵体１４０は、半円筒集塵体軸１４４の回転方向を検知する制御部１４８を備えている。
【００２０】
開口部１３０の前後の壁面には、除塵体１５１，１５２が設けられている。除塵体１５１，１５２は、半円筒集塵体１４０が回転するときに各々パイル地１４５，１４６と接するように配置されている。除塵体１５１，１５２は、各々パイル地１４５，１４６に付着した塵を除去できるゴムやプラスチックなどの素材で形成されている。開口部１３０の前壁面に設けられた除塵体１５１は、半円筒集塵体１４０が前方向に回転する際にパイル地１４５の塵を除去し、開口部１３０に連通する排出口１１０からの吸引力により塵を吸い取る。開口部１３０の後壁面に設けられた除塵体１５２は、半円筒集塵体１４０が後方向に回転する際にパイル地１４６の塵を除去し、開口部１３０に連通する排出口１１０からの吸引力により塵を吸い取る。
【００２１】
開口部１３０の左右には、吸込口体１００の底面１０２から突出するように車輪１６１，１６２が設けられている。車輪１６１，１６２は、車輪軸１６３の両側に設けられている。車輪１６１，１６２は、吸込口体１００の内部に配置された電動機１７０によって駆動される。電動機１７０は、掃除機本体１０からホース２０、操作管３０、延長管４０を介して吸込口体１００に送られる電流によって駆動する。電動機１７０の動力は、電動機１７０の電動機軸１７１と車輪軸１６３とを結ぶベルト１６４（及び図示しない電動機軸１７１と車輪軸１６３とに取り付けられた歯車など）により伝動される。電動機１７０は、制御部１４８からの制御に基づいて回転方向が決まる。
【００２２】
次に、第１の実施形態に係る電気掃除機の吸込口体の動作について、図３を参照して説明する。図３は、第１の実施形態に係る電気掃除機の吸込口体の動作を示す側面断面図である。
【００２３】
図３（Ａ）は、電気掃除機１の使用者が吸込口体１００を前進させている状態を示す。半円筒集塵体１４０は、吸込口体１００を前進させることにより後方向に回転し、突起体１４２が除塵体１５２に当たることによって回転が止まる。このとき、半円筒集塵体１４０のパイル地１４５が床面と接する。電動機１７０は、制御部１４８からの制御に基づき、車輪１６１，１６２が前進する方向に動力を伝動する。吸込口体１００は、車輪１６１，１６２が前進するように回転することにより、パイル地１４５がカーペットなどの床面と接する摩擦による摩擦力を打ち消すように前進させることができる。パイル地１４５がカーペットなどの床面と接することにより、パイル地１４５には毛髪やペットの毛など繊維状の塵が付着する。
【００２４】
図３（Ｂ）は、電気掃除機１の使用者が吸込口体１００を前進から後退に遷移させている状態を示す。半円筒集塵体１４０は、図３（Ａ）の状態から前方向に回転を始める。制御部１４８は、半円筒集塵体１４０の回転方向が切り替わることを検知し、電動機１７０に対し回転方向を切り替えるように制御する。半円筒集塵体１４０が前方向に回転することにより、パイル地１４５と除塵体１５１とが接し、パイル地１４５に付着した塵が除去される。
【００２５】
図３（Ｃ）は、電気掃除機１の使用者が吸込口体１００を後進させている状態を示す。半円筒集塵体１４０は、吸込口体１００を後進させることにより前方向に回転し、突起体１４２が除塵体１５１に当たることによって回転が止まる。このとき、半円筒集塵体１４０のパイル地１４６が床面と接する。電動機１７０は、制御部１４８からの制御に基づき、車輪１６１，１６２が後進する方向に動力を伝動する。吸込口体１００は、車輪１６１，１６２が後進するように回転することにより、パイル地１４６がカーペットなどの床面と接する摩擦による摩擦力を打ち消すように後進させることができる。パイル地１４６がカーペットなどの床面と接することにより、パイル地１４６には塵が付着する。
【００２６】
電気掃除機１の使用者が吸込口体１００を後退から前進に遷移させる場合は、図３（Ｂ）において、半円筒集塵体１４０は、図３（Ｃ）の状態から前方向に回転を始める。制御部１４８は、半円筒集塵体１４０の回転方向が切り替わることを検知し、電動機１７０に対し回転方向を切り替えるように制御する。半円筒集塵体１４０が前方向に回転することにより、パイル地１４６と除塵体１５２とが接し、パイル地１４６に付着した塵が除去される。
【００２７】
以上に述べた第１の実施形態によれば、以下の効果が得られる。
第１の実施形態では、電気掃除機１の吸込口体１００の底面１０２に半回転するパイル地１４５，１４６の半円筒集塵体１４０を取り付けることにより、絨毯やカーペットなどの起毛した布地に絡まった毛髪やペットの毛など繊維状の塵に対する除塵効果を高め、さらに吸込口体１００に電動機１７０によって動く車輪１６１，１６２を設け、吸込口体１００の進む方向に対して動きを援助するように車輪１６１，１６２を動作させることにより、絨毯やカーペットなどの起毛した布地上で塵を捕獲しやすい方向のパイル地１４５，１４６を移動させることによる摩擦力を軽減でき、パイル地１４５，１４６による除塵効果を高めることができる。
【００２８】
（変形例１）
第１の実施形態では、半円筒集塵体軸１４４の回転方向を検知する制御部１４８を備え、電動機１７０の回転方向は、制御部１４８からの制御に基づくように説明したが、電気掃除機１の使用者が吸込口体１００を移動する方向を車輪１６１，１６２の動きで検知するようにしても良い。その場合、車輪軸１６３の回転を増幅するように電動機１７０を回転させれば良い。
【００２９】
（変形例２）
第１の実施形態では、吸込口体１００は、後部背面１０１に排出口１１０が設けるように説明したが、排出口１１０は、吸込口体１００の上部にあっても構わない。
【００３０】
（変形例３）
第１の実施形態では、吸込口体１００は、底面１０２の前方に車輪１６１，１６２及び電動機１７０などを配置するように説明したが、吸込口体１００の底面１０２の後方に配置しても良い。または、吸込口体１００の左右に車輪１６１，１６２を配置しても良い。
【００３１】
（変形例４）
第１の実施形態では、半円筒集塵体１４０にパイル地１４５，１４６を取り付けた場合を説明したが、起毛した布地に絡まった繊維状の塵に対する除塵効果を得られる素材（添毛織物、輪奈織）であれば良い。
【００３２】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００３３】
本発明は、電気掃除機の吸込口体に利用することができる。
【符号の説明】
【００３４】
１  電気掃除機
１０  掃除機本体
１２  接続口
２０  ホース
３０  操作管
４０  延長管
１００  吸込口体
１０１  後部背面
１０２  底面
１１０  排出口
１２０  吸込口
１３０  開口部
１４０  半円筒集塵体
１４２  突起体
１４４  半円筒集塵体軸
１４５  パイル地
１４６  パイル地
１４８  制御部
１５１  除塵体
１５２  除塵体
１６１  車輪
１６２  車輪
１６３  車輪軸
１６４  ベルト
１７０  電動機
１７１  電動機軸
【図１】
2014158586.tif 000003
【図２】
2014158586.tif 000004
【図３】
2014158586.tif 000005